(57)【要約】      （修正有）【課題】１袋分ずつ引き出して千切ることによって結び代付きの手提げ可能な袋を得られる袋構成体を提供する。【解決手段】合成樹脂により筒状に連続的に形成される袋素材１０に長手方向に一定の間隔Ｌをおいて袋底部を構成するシール１１、１１とミシン目等による切離線１２、１２とを施し、これらシール１１、１１間に結び代を形成すべくミシン目等により凹凸形状の切離線１３を施し、切離線１２、１３により順次１袋ずつに引き千切って使用する。【選択図】図１
0003181617.tif 000002
【実用新案登録請求の範囲】
【請求項１】
合成樹脂により筒状に連続的に形成される袋素材に長手方向に一定の間隔をおいて袋底部を構成するシールとミシン目等による切離線とを施し、これらシール間に結び代を形成すべくミシン目等により凹凸形状の切離線を施し、前記切離線により１袋ずつに引き千切って使用するようにしたことを特徴とする合成樹脂製袋構成体。
【請求項２】
合成樹脂により筒状に連続的に形成される袋素材に長手方向に一定の間隔をおいて袋底部を構成するシールとミシン目等による切離線とを施し、これらシール間に結び代を形成すべくミシン目等により凹凸形状の切離線を施し、この袋素材をロール状に巻成し、このロールを支持台に回転自在にセットして１袋分ずつ引き出しつつ千切ることにより使用するようにしたことを特徴とする合成樹脂製袋構成体。
【請求項３】
前記筒状に形成される袋素材の長手方向両側部が内方へ折り込まれて底部構成用シールおよびミシン目等による切離線が施され、引き千切った袋の両側部にガゼットが形成されるようになされている請求項１または２記載の合成樹脂製袋構成体。
【請求項４】
前記凹凸形状の切離線により切離されたときに突出して残る突出部分が一対の結び代とされている請求項１〜３のいずれか１項記載の合成樹脂製袋構成体。
【請求項５】
前記袋素材は高密度ポリエチレン（ＨＤＰＥ）により形成されている請求項１〜４のいずれか１項記載の合成樹脂製袋構成体。
【請求項６】
前記袋素材の厚みが８〜１２μｍである請求項１〜５のいずれか１項記載の合成樹脂製袋構成体。
【考案の詳細な説明】
【技術分野】
【０００１】
本考案は、スーパーマーケット等において購入品を詰納して持ち帰るための合成樹脂製の袋に係り、特に袋の開口部を結んで閉じることのできる結び代付きの袋を得る合成樹脂製袋構成体に関する。
【背景技術】
【０００２】
従来、一般にスーパーマーケット等の量販店などにおいては、顧客が購入した商品、なかでも食品類などを持ち帰る際にこれらを自身で詰納して持ち帰るための合成樹脂製袋が提供されている。
【０００３】
この種の袋は通常ポリエチレン製のもので、図６に例示するように、インフレーション等により筒状に形成された袋素材１にその長手方向に一定の間隔をおいてミシン目による切離線２と袋底部を構成するシール３とが施され、これをロール状に巻成したものを店舗内のサッカー台上に置かれる支持台４にセットし、矢印Ｙ方向に引き出して強く引っ張ることにより切離線２によって切り離され、図７に示すように１袋ずつの袋５Ａに分離して商品を詰納することができる形態とするようになされている。
【０００４】
しかし上記従来のものは、ロール状に巻成されたものから顧客が自由に切離して使用することができるので簡便であり、便利な形態ではあるが、切離された袋５Ａの開口部５ａは直状に開いているので、商品詰納後開口部５ａを閉じることが難しく、商品によっては不便をきたすことになる。
【０００５】
そこで近時、図８（Ａ）、（Ｂ）に示すように、前記の袋５Ａの開口部５ａに一対の結び代６、６を形成し、商品を詰納したのちこの結び代６、６を結ぶ（またはテープ止め）ことにより開口部５ａを閉じ、手に提げて持ち運ぶことのできる手提げ可能な形態とした袋５Ｂ、５Ｂが提供されている。
【０００６】
しかして上記従来の手提げ可能な袋５Ｂ、５Ｂは、図９（Ａ）、（Ｂ）に示すようにインフレーション等により筒状に形成される袋素材１に袋として必要な幅相当の間隔Ｍをおいてシール７とミシン目等による切離線８とを施し、かつ袋素材１の幅方向中央位置に凹凸形状にミシン目等の切離線９を入れて前記の切離線７で切り離すことにより２袋分が切離され、さらに切離線９により１袋ずつに分離することにより図８（Ａ）、（Ｂ）に示したように２袋の手提げ可能な袋５Ｂ、５Ｂが得られるようになされている。
【０００７】
そのため上記従来の構造では、１回の操作で１袋を得ることができず、分離操作が面倒であり、特にロール状に巻成して従来の単純な袋５Ｂのように１袋ずつ引き千切って使用する態様を採ることができず、顧客に分離操作をゆだねることが難しいという問題点があった。
【０００８】
また切離した袋５Ｂはその両側縁にシール８、８が存在するので、このシール部分が結び代６、６に存在する側の袋（図８（Ａ）示）にあっては強わついて結びにくく、商品によっては収納後形崩れを起こしやすいなどの問題が生じることになる。
【先行技術文献】
【特許文献】
【０００９】
【特許文献１】実用新案登録第３１３１０８０号
【考案の概要】
【考案が解決しようとする課題】
【００１０】
本考案は上記の点に着目し、店舗内にロール状に巻成したものとして設置し、これを順次引き出して1袋ずつ引き千切って分離させるだけで結び代を備えた手提げ可能な袋が得られるようにすることを課題としている。
【課題を解決するための手段】
【００１１】
上記課題を解決する手段として本考案は、合成樹脂により筒状に連続的に形成される袋素材に長手方向に一定の間隔をおいて袋底部を構成するシールとミシン目等による切離線を施し、これらシール間に結び代を形成すべくミシン目等により凹凸形状の切離線を施し、前記切離線により１袋ずつに引き千切って使用するようにしたことにある。
【００１２】
上記袋素材をロール状に巻成し、このロールを支持台に回転自在にセットして１袋分ずつ引き出しつつ千切ることにより使用するようにすることが好ましい。
【００１３】
前記筒状に形成される袋素材の長手方向両側部を内方へ折り込んで底部構成用シールおよびミシン目等による切離線を施し、１袋ずつ引き千切ったとき袋の両側部にガゼットが形成されているようにすることができる。
【００１４】
したがって前記凹凸形状の切離線により切離したときに突出して残る突出部分が一対の結び代となる。
【００１５】
前記袋素材は高密度ポリエチレンにより形成することが好ましく、また袋素材の厚みは８〜１２μｍとすることが好ましい。
【考案の効果】
【００１６】
本考案によれば、１袋ずつを引き千切って分離させることができ、また引き千切るだけで自ずと一対の結び代が形成された手提げ可能な袋になるので、従来の単純な袋形態の切離式袋と同じ感覚で取り扱うことができ、購入した商品を収納したのちは結び代同士を結ぶ（またはテープ止め等）ことにより商品が逸脱することがない状態に封入することができると同時に、結び目に手指を通して手で提げて持つことができ、単純形態の袋に比し優れた効果を得ることができる。
【００１７】
また袋の両側にガゼットを設けることが容易にできるので、袋の収納量を大きくすることができ、商品によってはその姿を崩さずに収納することができる袋を得ることができる。
【図面の簡単な説明】
【００１８】
【図１】本考案に係る合成樹脂製袋構成体の一実施形態を示し、（Ａ）はその一部を示す平面図、（Ｂ）は（Ａ）のＡ−Ａ略示断面図。
【図２】（Ａ）、（Ｂ）は図１の合成樹脂製袋構成体から切り離された２種の袋を示す斜視図。
【図３】図１の合成樹脂製袋構成体をロール状に巻成して店内での使用形態とした斜視図。
【図４】ガゼット付き袋とする場合の合成樹脂製袋構成体の一実施形態を示し、（Ａ）はその一部の平面図、（Ｂ）は（Ａ）のＢ−Ｂ略示断面図。
【図５】図４の合成樹脂製袋構成体から切り離された袋を示し、（Ａ）はその一つの斜視図、（Ｂ）は（Ａ）のＣ−Ｃ断面図。
【図６】スーパーマーケットなどにおいて従来から使用されている合成樹脂製袋構成体の一例を示す斜視図。
【図７】同、引き千切った一つの袋を示す斜視図。
【図８】（Ａ）、（Ｂ）は従来の結び代付き袋を示す斜視図。
【図９】図８（Ａ）、（Ｂ）の袋を得る従来の袋構成体を示し、（Ａ）は一部の平面図、（Ｂ）は（Ａ）のＤ−Ｄ略示断面図。
【考案を実施するための形態】
【００１９】
図１（Ａ）は本考案による合成樹脂製袋構成体の一部の平面図を示し、図１（Ｂ）は図１（Ａ）のＡ−Ａ断面における形状を示している。
【００２０】
上記合成樹脂製袋構成体は、インフレーション工法等によって連続的に筒状に形成される合成樹脂製の袋素材１０に、その長手方向に一定の間隔Ｌをおいて袋の底部を構成する所定幅のシール１１、１１・・・とこのシールの中央位置にミシン目等による切離線１２、１２・・・が施されている。
【００２１】
またシール１１、１１間の中央位置において凹凸形状にミシン目等の切離線１３が施されており、袋素材１０の切離線１２、１３、１２・・・の順に引き千切って分離することにより図２（Ａ）、（Ｂ）に示す２種の形態の手提げ可能な袋１５、１５が順次得られるようになっている。
【００２２】
この袋素材１０の構成材料としては、高密度ポリエチレン（ＨＤＰＥ）ナチュラルを用いることが好ましい。またその肉厚は８〜１２μｍ程度とされる。８μｍ以下であると強度上不十分であり、１２μｍ以上であると柔軟性が不足し、袋として使いにくいものとなる。したがって肉厚１０μｍ程度とすることが最も好ましい。
【００２３】
袋素材１０の大きさとしては、袋素材１０の幅Ｘ＝３８０ｍｍ、シール１１、１１間の寸法Ｌ＝７６０ｍｍとされている。
【００２４】
図３は実際の使用形態例を示すもので、前記袋素材１０をロール状に巻成し、そのロール１０ａ部分を従来と同様にサッカー台等に設置される支持台にセットし、矢印Ｙ方向に引っ張って１袋ずつ引き千切って使用するようにすることができる。
【００２５】
分離された一方の袋１５Ａは、その開口部１５ａが凹形状に切離され、両側に突出する部分が一対の結び代１６、１６となる。
【００２６】
他方の袋１５Ｂは、その開口部１５ａの中央が突出する形態となり、その突出部分が一対の結び代１６、１６となる。
【００２７】
これら結び代１６、１６は互に結び合うに適する長さとされている。
【００２８】
したがって袋１５Ａ、１５Ｂ内に商品を収納して結び代１６、１６を結べば袋１５Ａ、１５Ｂの開口部１５ａ、１５ａは閉じられて商品の逸脱を防ぐことができると共に結び目に手指を通して持てば手提げ袋として機能させることができる。結び代１６、１６を結べないときは、結び代同士をテープにより止め付けるかホッチキス等で止めるようにしてもよい。
【００２９】
図４は袋の両側部にガゼット１７、１７を有する形態とする場合の一実施形態を示すもので、袋素材１０の両側縁を所定幅をもって内方へ折り込んだうえ、前記と同様に底部構成用シール１１と切離線１２、シール間の中央にミシン目等による凹凸形状の切離線１３が施されたものである。
【００３０】
したがって１袋分を引き千切ったとき、図５（Ａ）に一方の袋１５Ｃを代表して示し、同（Ｂ）に図５（Ａ）のＣ−Ｃ断面を略示するように袋１５Ｃの両側部にガゼット１７、１７が形成された形態となり、角張った商品であっても無理なく収納することができ、それでいて結び代１６、１６で結ぶことにより開口部１５ａを閉じ、手で提げて持ち運ぶことができる。
【符号の説明】
【００３１】
１、１０  合成樹脂製袋構成体
２、１１  シール
３、１２  切離線
９、１３  凹凸形状の切離線
６、１６  結び代
１７  ガゼット
【図１】
0003181617.tif 000003
【図２】
0003181617.tif 000004
【図３】
0003181617.tif 000005
【図４】
0003181617.tif 000006
【図５】
0003181617.tif 000007
【図６】
0003181617.tif 000008
【図７】
0003181617.tif 000009
【図８】
0003181617.tif 000010
【図９】
0003181617.tif 000011